(57)【要約】【課題】コアキシャルインターフェイス方式で伝送する電源電圧にかかわらず、所定の電圧の電源を使用することが可能なアンテナ制御システム及びアンテナモデムを提供する。【解決手段】アンテナ１０の制御を行うＡＩＳＧデバイス１７と、ＡＩＳＧデバイス１７に制御信号と電源信号を送信する制御装置１６と、制御装置１６から入力された制御信号を変調して生成した変調信号と電源信号を給電信号に重畳して出力するＢＳモデム１３と、ＢＳモデム１３から入力された給電信号から変調信号と電源信号を分離し、変調信号を復調した制御信号と電源信号をＡＩＳＧデバイス１７に出力するアンテナモデム２とを備え、アンテナモデム２は、正負両電源入力対応の第１ＤＣ／ＤＣコンバータ３を備え、第１ＤＣ／ＤＣコンバータ３により、入力された電源信号からＡＩＳＧ規格にて規定される所定の電圧の電源信号を生成して、ＡＩＳＧデバイス１７に出力するように構成される。【選択図】図１
2013026895.tif 000002
【特許請求の範囲】
【請求項１】
ＡＩＳＧ規格に準拠してアンテナの制御を行うＡＩＳＧデバイスと、
前記ＡＩＳＧデバイスに制御信号を送信し、前記ＡＩＳＧデバイスを制御して前記アンテナの制御を行うと共に、前記ＡＩＳＧデバイスに電源信号を送信する制御装置と、
前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、
を備えたアンテナ制御システムにおいて、
前記アンテナモデムは、
正電源と負電源のいずれが入力された場合であっても所定の電圧の電源信号を生成可能な正負両電源入力対応の第１ＤＣ／ＤＣコンバータを備え、
該第１ＤＣ／ＤＣコンバータにより、前記ＢＳモデムから入力され給電信号から分離した電源信号から、ＡＩＳＧ規格にて規定される所定の電圧の電源信号を生成して、前記ＡＩＳＧデバイスに出力するように構成される
ことを特徴とするアンテナ制御システム。
【請求項２】
前記第１ＤＣ／ＤＣコンバータは、
正電源あるいは負電源のいずれか一方のみに対応した片電源入力対応のＤＣ／ＤＣコンバータの前段に、当該片電源入力対応のＤＣ／ＤＣコンバータが対応しない極性の電源信号が入力されたときに、入力された電源信号の極性を反転して出力する入力切替回路を備えて構成される
請求項１記載のアンテナ制御システム。
【請求項３】
前記アンテナモデムは、
前記第１ＤＣ／ＤＣコンバータが生成した電源信号から、ＡＩＳＧ規格にて規定される他の電圧の電源信号を生成する第２ＤＣ／ＤＣコンバータを備え、
前記第１ＤＣ／ＤＣコンバータが生成した電源信号と、前記第２ＤＣ／ＤＣコンバータが生成した電源信号を、前記ＡＩＳＧデバイスに出力するように構成される
請求項１または２記載のアンテナ制御システム。
【請求項４】
前記アンテナモデムは、
前記第１ＤＣ／ＤＣコンバータを複数備え、該複数の第１ＤＣ／ＤＣコンバータにて、前記ＢＳモデムから入力され給電信号から分離した電源信号から、ＡＩＳＧ規格にて規定される電圧で、かつ異なる電圧の電源信号をそれぞれ生成して、前記ＡＩＳＧデバイスに出力するように構成される
請求項１〜３いずれかに記載のアンテナ制御システム。
【請求項５】
前記アンテナモデムは、
前記ＢＳモデムから入力され給電信号から分離した電源信号の電圧が、前記第１ＤＣ／ＤＣコンバータが生成する電圧と等しいとき、当該生成する電圧が等しい第１ＤＣ／ＤＣコンバータをバイパスして、前記ＢＳモデムから入力され給電信号から分離した電源信号を直接前記ＡＩＳＧデバイスに出力する出力切替回路を備える
請求項１〜４いずれかに記載のアンテナ制御システム。
【請求項６】
ＡＩＳＧ規格に準拠してアンテナの制御を行うＡＩＳＧデバイスと、
前記ＡＩＳＧデバイスに制御信号を送信し、前記ＡＩＳＧデバイスを制御して前記アンテナの制御を行うと共に、前記ＡＩＳＧデバイスに電源信号を送信する制御装置と、
前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、を備えたアンテナ制御システムに用いられ、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムであって、
正電源と負電源のいずれが入力された場合であっても所定の電圧の電源信号を生成可能な正負両電源入力対応の第１ＤＣ／ＤＣコンバータを備え、
該第１ＤＣ／ＤＣコンバータにより、前記ＢＳモデムから入力され給電信号から分離した電源信号から、ＡＩＳＧ規格にて規定される所定の電圧の電源信号を生成して、前記ＡＩＳＧデバイスに出力するように構成される
ことを特徴とするアンテナモデム。
【発明の詳細な説明】
【技術分野】
【０００１】
本発明は、ＡＩＳＧ（Antenna Interface Standards Group）規格に準拠してアンテナの制御を行うアンテナ制御システム及びアンテナモデムに関するものである。
【背景技術】
【０００２】
移動通信用の無線基地局では、一般に、アンテナのチルト制御を遠隔制御により行えるようになっている。当初は、アンテナの制御方式としてメーカーごとに独自の方式を用いていたが、近年のＬＴＥ（Long Term Evolution）無線基地局などでは、アンテナの制御をＡＩＳＧ規格で行うことが多くなっている。ＡＩＳＧ規格は、アンテナの基本的な相互運用を確実にすべく標準化された規格である（例えば、特許文献１参照）。
【０００３】
通常、無線基地局のアンテナや、アンテナの制御を行うＲＥＴ（Remote Electrical Tilt）ユニットなどのＡＩＳＧデバイス（ＡＩＳＧ端末機器）は、鉄塔の上部やビルの屋上など高い位置に配置される。他方、アンテナに給電を行う無線機や、ＡＩＳＧデバイスを制御する制御装置（ＡＩＳＧ制御装置）は、鉄塔の下部など低い位置に配置されるのが一般的である。ここで、制御装置は、ＡＩＳＧデバイスに制御信号（ＲＳ４８５規格信号）を送信し、ＡＩＳＧデバイスを制御してアンテナの制御を行うと共に、ＡＩＳＧデバイスに電源を供給するものである。
【０００４】
アンテナと無線機とは同軸ケーブルからなる給電線（ＲＦ給電線）により接続され、ＡＩＳＧデバイスと制御装置とはＡＩＳＧ規格に準拠した制御ケーブル（ＡＩＳＧ制御ケーブル）により接続されるので、例えばアンテナとＡＩＳＧデバイスを鉄塔の上部に、無線機と制御装置を鉄塔の下部に配置する場合には、鉄塔の上部から下部にわたって、給電線と制御ケーブルの２本のケーブルが敷設されることになる。
【０００５】
しかし、例えば数十ｍと高い鉄塔においては、鉄塔の上部から下部にわたってケーブルを敷設することは非常に手間がかかり、工事にかかるコストも高くなってしまう。この問題を解決するため、ＡＩＳＧ規格では、コアキシャルインターフェイス（Coaxial Interface）またはモデムオプション（Modem Option）と呼ばれる方式（以下、コアキシャルインターフェイス方式と呼称する）が規定されている。
【０００６】
図８に示すように、コアキシャルインターフェイス方式を用いたアンテナ制御システム８１では、アンテナ１０と無線機１１とを接続する給電線１２の途中に、ＢＳモデム１３とアンテナモデム１４と呼ばれる２つのモデムを設け、これらＢＳモデム１３とアンテナモデム１４を使用して、給電線１２を経由してＡＩＳＧデバイス１７用の制御信号や電源信号を伝送する。
【０００７】
ＢＳモデム１３は、無線機１１の近傍（例えば鉄塔の下部）に設けられ、制御ケーブル１５を介して制御装置（ＡＩＳＧ制御装置）１６が接続される。アンテナモデム１４は、アンテナ１０の近傍（例えば鉄塔の上部）に設けられ、制御ケーブル１５を介してＡＩＳＧデバイス１７が接続される。
【０００８】
図９に示すように、ＢＳモデム１３では、制御装置１６から入力ＡＩＳＧコネクタ２１を介して入力された制御信号（ＲＳ４８５Ａ，ＲＳ４８５Ｂ）を、モデム（モデム回路）２２にて変調して変調信号を生成し、その変調信号と制御装置１６から入力された電源信号とを合成回路２３で合成し、その合成した信号（ＡＩＳＧ信号という）をバイアスＴ回路（Bias Tee）２４に出力する。バイアスＴ回路２４は、直流遮断用のキャパシタ（容量素子）と交流遮断用のインダクタ（誘導素子）とを組み合わせて構成され、合成回路２３から入力されたＡＩＳＧ信号を、無線機１１から入力側ＲＦコネクタ２５を介して入力された給電信号（ＲＦ信号）に重畳して、出力側ＲＦコネクタ２６からアンテナ１０側の給電線１２に出力する。
【０００９】
図１０に示すように、従来のアンテナモデム１４では、ＢＳモデム１３から入力側ＲＦコネクタ３１を介して入力された給電信号（ＡＩＳＧ信号を重畳した給電信号）をバイアスＴ回路３２に入力し、バイアスＴ回路３２にて、給電信号からＡＩＳＧ信号を分離する。分離後の給電信号は、出力側ＲＦコネクタ３３から、アンテナ１０側の給電線１２に出力される。バイアスＴ回路３２で分離されたＡＩＳＧ信号は、分離回路３４にてさらに変調信号と電源信号とに分離され、分離された変調信号はモデム（モデム回路）３５で復調されて制御信号に戻され、その復調された制御信号と、分離回路３４で分離された電源信号とが、出力ＡＩＳＧコネクタ３６を介してＡＩＳＧデバイス１７に出力される。
【００１０】
ＢＳモデム１３のモデム２２と、アンテナモデム１４のモデム３５としては、同じ構成のものを用いるのが一般的である。図１１に示すように、モデム２２，３５は、ＲＳ４８５インターフェイス９１に入力された制御信号（ＲＳ４８５規格信号）を、変調回路９２で変調して変調信号を生成し、生成した変調信号を方向性結合器９３から外部に出力するように構成されると共に、方向性結合器９３に入力された変調信号を、復調回路９４で復調して制御信号に戻し、ＲＳ４８５インターフェイス９１から外部に出力するように構成されている。モデム２２，３５の電源回路９５は、制御装置１６から供給される電源を利用し、入力される電源電圧をモデム２２，３５用の電圧に変換して、ＲＳ４８５インターフェイス９１、変調回路９２、復調回路９４に出力するように構成されている。
【００１１】
このようなコアキシャルインターフェイス方式を採用することにより、鉄塔の上部から下部にわたって給電線１２のみを敷設すればよいこととなり、工事費も含めたアンテナ制御システムのトータルコストを大幅に抑制することが可能になる。
【先行技術文献】
【特許文献】
【００１２】
【特許文献１】特表２０１０−５１９８０４号公報
【発明の概要】
【発明が解決しようとする課題】
【００１３】
ところで、表１に示すように、ＡＩＳＧ規格では、＋１２Ｖ（１番）、−４８Ｖ（２番）、１０〜３０Ｖ（６番）の３種類の電源が用意されている。なお、表１は、ＡＩＳＧ規格にて規定されているコネクタのピン端子の番号（Pin Number）、各ピン端子で伝搬する信号（Signal）、必須接続（Mandatory）であるか任意接続（Optional）であるかという要求（Requirement）を示したものであり、８番のＮＣは無接続（No Connection）を意味している。
【００１４】
【表１】
2013026895.tif 000003
【００１５】
しかしながら、上述のコアキシャルインターフェイス方式のアンテナ制御システム８１では、同軸ケーブルからなる給電線１２を介して電源信号を伝送しており、同軸ケーブルは中心導体と外部導体の２つの導体しか備えていないので、１種類の電源しか伝送することができない。そのため、伝送する１種類の電源以外の電源を使用するＡＩＳＧデバイス１７を使用することができない。
【００１６】
換言すれば、上述のコアキシャルインターフェイス方式のアンテナ制御システム８１では、ＡＩＳＧデバイス１７は、その使用する電源が、コアキシャルインターフェイス方式で伝送する電源（制御装置１６が供給する電源）と一致する場合のみしか使用できない。
【００１７】
したがって、上述のコアキシャルインターフェイス方式のアンテナ制御システム８１では、コアキシャルインターフェイス方式で伝送する電源電圧、すなわち制御装置１６が供給する電源電圧が未知である場合には、どのようなＡＩＳＧデバイス１７を使用できるか判断できず、不便であった。
【００１８】
本発明は、上記事情に鑑み為されたものであり、コアキシャルインターフェイス方式で伝送する電源電圧にかかわらず、所定の電圧の電源を使用することが可能なアンテナ制御システム及びアンテナモデムを提供することを目的とする。
【課題を解決するための手段】
【００１９】
本発明は上記目的を達成するために創案されたものであり、ＡＩＳＧ規格に準拠してアンテナの制御を行うＡＩＳＧデバイスと、前記ＡＩＳＧデバイスに制御信号を送信し、前記ＡＩＳＧデバイスを制御して前記アンテナの制御を行うと共に、前記ＡＩＳＧデバイスに電源信号を送信する制御装置と、前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、を備えたアンテナ制御システムにおいて、前記アンテナモデムは、正電源と負電源のいずれが入力された場合であっても所定の電圧の電源信号を生成可能な正負両電源入力対応の第１ＤＣ／ＤＣコンバータを備え、該第１ＤＣ／ＤＣコンバータにより、前記ＢＳモデムから入力され給電信号から分離した電源信号から、ＡＩＳＧ規格にて規定される所定の電圧の電源信号を生成して、前記ＡＩＳＧデバイスに出力するように構成されるアンテナ制御システムである。
【００２０】
前記第１ＤＣ／ＤＣコンバータは、正電源あるいは負電源のいずれか一方のみに対応した片電源入力対応のＤＣ／ＤＣコンバータの前段に、当該片電源入力対応のＤＣ／ＤＣコンバータが対応しない極性の電源信号が入力されたときに、入力された電源信号の極性を反転して出力する入力切替回路を備えて構成されてもよい。
【００２１】
前記アンテナモデムは、前記第１ＤＣ／ＤＣコンバータが生成した電源信号から、ＡＩＳＧ規格にて規定される他の電圧の電源信号を生成する第２ＤＣ／ＤＣコンバータを備え、前記第１ＤＣ／ＤＣコンバータが生成した電源信号と、前記第２ＤＣ／ＤＣコンバータが生成した電源信号を、前記ＡＩＳＧデバイスに出力するように構成されてもよい。
【００２２】
前記アンテナモデムは、前記第１ＤＣ／ＤＣコンバータを複数備え、該複数の第１ＤＣ／ＤＣコンバータにて、前記ＢＳモデムから入力され給電信号から分離した電源信号から、ＡＩＳＧ規格にて規定される電圧で、かつ異なる電圧の電源信号をそれぞれ生成して、前記ＡＩＳＧデバイスに出力するように構成されてもよい。
【００２３】
前記アンテナモデムは、前記ＢＳモデムから入力され給電信号から分離した電源信号の電圧が、前記第１ＤＣ／ＤＣコンバータが生成する電圧と等しいとき、当該生成する電圧が等しい第１ＤＣ／ＤＣコンバータをバイパスして、前記ＢＳモデムから入力され給電信号から分離した電源信号を直接前記ＡＩＳＧデバイスに出力する出力切替回路を備えてもよい。
【００２４】
また、本発明は、ＡＩＳＧ規格に準拠してアンテナの制御を行うＡＩＳＧデバイスと、前記ＡＩＳＧデバイスに制御信号を送信し、前記ＡＩＳＧデバイスを制御して前記アンテナの制御を行うと共に、前記ＡＩＳＧデバイスに電源信号を送信する制御装置と、前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、を備えたアンテナ制御システムに用いられ、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムであって、正電源と負電源のいずれが入力された場合であっても所定の電圧の電源信号を生成可能な正負両電源入力対応の第１ＤＣ／ＤＣコンバータを備え、該第１ＤＣ／ＤＣコンバータにより、前記ＢＳモデムから入力され給電信号から分離した電源信号から、ＡＩＳＧ規格にて規定される所定の電圧の電源信号を生成して、前記ＡＩＳＧデバイスに出力するように構成されるアンテナモデムである。
【発明の効果】
【００２５】
本発明によれば、コアキシャルインターフェイス方式で伝送する電源電圧にかかわらず、所定の電圧の電源を使用することが可能なアンテナ制御システム及びアンテナモデムを提供できる。
【図面の簡単な説明】
【００２６】
【図１】（ａ）は、本発明の一実施の形態に係るアンテナ制御システムの概略構成図であり、（ｂ）はアンテナモデムの概略構成図である。
【図２】図１のアンテナ制御システムに用いる制御ケーブルの一例を示す横断面図である。
【図３】図１（ｂ）のアンテナモデムにおいて、第１ＤＣ／ＤＣコンバータに片電源入力対応のＤＣ／ＤＣコンバータを用いる場合の回路構成図である。
【図４】（ａ），（ｂ）は、図１（ｂ）のアンテナモデムの変形例を示す概略構成図である。
【図５】（ａ）は、図１（ｂ）のアンテナモデムの変形例を示す概略構成図であり、（ｂ）は、第１ＤＣ／ＤＣコンバータに片電源入力対応のＤＣ／ＤＣコンバータを用いる場合の回路構成図である。
【図６】（ａ）は、図１（ｂ）のアンテナモデムの変形例を示す概略構成図であり、（ｂ）は、出力切替回路の概略構成図である。
【図７】図１（ｂ）のアンテナモデムの変形例を示す概略構成図である。
【図８】従来のアンテナ制御システムの概略構成図である。
【図９】図８の従来のアンテナ制御システムに用いるＢＳモデムの概略構成図である。
【図１０】図８の従来のアンテナ制御システムに用いる従来のアンテナモデムの概略構成図である。
【図１１】図９のＢＳモデム、図１０のアンテナモデムに用いるモデム（モデム回路）の概略構成図である。
【発明を実施するための形態】
【００２７】
以下、本発明の実施の形態を添付図面にしたがって説明する。
【００２８】
図１（ａ）は、本実施の形態に係るアンテナ制御システムの概略構成図であり、図１（ｂ）は、アンテナモデムの概略構成図である。
【００２９】
図１（ａ）に示すように、アンテナ制御システム１は、ＡＩＳＧ規格に準拠してアンテナ１０の制御を行うＡＩＳＧデバイス１７と、ＡＩＳＧデバイス１７に制御信号を送信し、ＡＩＳＧデバイス１７を制御してアンテナ１０の制御を行うと共に、ＡＩＳＧデバイス１７に電源信号を送信する制御装置１６と、アンテナ１０とアンテナ１０に給電を行う無線機１１とを接続する給電線１２の途中に設けられたＢＳモデム１３と、ＢＳモデム１３よりもアンテナ１０側の給電線１２の途中に設けられた本発明のアンテナモデム２と、を備えている。
【００３０】
ここでは、一例として、ＡＩＳＧデバイス１７が、１０〜３０Ｖ電源を使用するものである場合を説明する。制御装置１６が出力する電源は未知（１０〜３０Ｖ電源、＋１２Ｖ電源、−４８Ｖ電源のいずれか）とする。
【００３１】
ＢＳモデム１３は、制御装置１６から入力ＡＩＳＧコネクタ（オスコネクタ）２１を介して入力された制御信号を変調して変調信号を生成し、その変調信号と制御装置１６から入力された電源信号とを合成した信号（ＡＩＳＧ信号という）を、無線機１１から入力側ＲＦコネクタ２５を介して入力された給電信号に重畳して、出力側ＲＦコネクタ２６から、アンテナ１０側の給電線１２に出力するものである。ＢＳモデム１３は、従来より用いられている一般的なＢＳモデムであり、図９で説明したものと同じものである。入力ＡＩＳＧコネクタ２１は、ＡＩＳＧ規格に準拠した一般的なコネクタ（ＡＩＳＧコネクタ）であり、ＲＦコネクタ２５，２６は、一般的な同軸ケーブル用のコネクタである。
【００３２】
アンテナモデム２は、ＢＳモデム１３から入力側ＲＦコネクタ３１を介して入力された給電信号からＡＩＳＧ信号を分離すると共に、ＡＩＳＧ信号を変調信号と電源信号とに分離し、変調信号を復調して制御信号に戻し、制御信号と電源信号を出力ＡＩＳＧコネクタ３６からＡＩＳＧデバイス１７に、分離後の給電信号を出力側ＲＦコネクタ３３からアンテナ１０側の給電線１２に出力するものである。アンテナモデム２の詳細については後述する。出力ＡＩＳＧコネクタ３６は、ＡＩＳＧ規格に準拠した一般的なコネクタ（ＡＩＳＧコネクタ）であり、ＲＦコネクタ３１，３３は、一般的な同軸ケーブル用のコネクタである。
【００３３】
ＢＳモデム１３は、無線機１１の近傍（例えば鉄塔の下部）に設けられ、制御ケーブル１５を介して制御装置１６が接続される。アンテナモデム２は、アンテナ１０の近傍（例えば鉄塔の上部）に設けられ、制御ケーブル１５を介してＡＩＳＧデバイス１７が接続される。
【００３４】
制御ケーブル１５は、図２に示すように、制御信号を伝送する２本の制御信号線４４と、電源を供給するための３本の電源線４５とを備えている。２本の制御信号線４４には、ドレインワイヤ４６が縦添えされており、２本の制御信号線４４とドレインワイヤ４６の周囲には、これらを一括して取り囲むようにシールドテープ（金属テープ）４７が設けられている。
【００３５】
３本の電源線４５は、異なる電圧が設定された２本の電源線４５ａ，４５ｃと、ＤＣリターン用の電源線４５ｂとからなる。ここでは、−４８Ｖ電源を伝送する−４８Ｖ線４５ａと１０〜３０Ｖ電源を伝送する１０〜３０Ｖ線４５ｃを備える場合を示している。
【００３６】
３本の電源線４５は、介在４８と共に２本の制御信号線４４の周囲（シールドテープ４７の周囲）に配置され、これらを一括して取り囲むように、シールドテープ４９、編組シールド５０、シース５１が順次設けられている。
【００３７】
なお、図２の制御ケーブル１５は、あくまで一例として示したものであり、制御ケーブル１５は、図２の構成に限定されるものではない。例えば、図１（ａ）のアンテナ制御システム１では、アンテナモデム１４とＡＩＳＧデバイス１７間に設けられる制御ケーブル１５については、−４８Ｖ線４５ａを使用しないので、−４８Ｖ線４５ａを省略したものを用いることも可能である。
【００３８】
図１（ａ）に戻り、制御ケーブル１５の両端には、オスコネクタ１５ａとメスコネクタ１５ｂがそれぞれ設けられている。また、制御装置１６には出力コネクタ（メスコネクタ）１６ａが、ＡＩＳＧデバイス１７には入力コネクタ（オスコネクタ）１７ａが設けられている。これらコネクタ１５ａ，１５ｂ，１６ａ，１７ａは、ＡＩＳＧ規格に準拠した一般的なコネクタ（ＡＩＳＧコネクタ）である。なお、図示していないが、ＡＩＳＧデバイス１７には、出力コネクタ（メスコネクタ）が設けられており、複数台のＡＩＳＧデバイス１７をデイジーチェーン接続できるようになっている。
【００３９】
制御ケーブル１５のオスコネクタ１５ａを制御装置１６の出力コネクタ１６ａに接続し、その制御ケーブル１５のメスコネクタ１５ｂをＢＳモデム１３の入力ＡＩＳＧコネクタ２１に接続することで、制御装置１６とＢＳモデム１３とが制御ケーブル１５を介して接続される。また、ＢＳモデム１３の入力側ＲＦコネクタ２５には、無線機１１から延びる給電線１２が接続され、これにより、無線機１１とＢＳモデム１３とが給電線１２を介して接続される。
【００４０】
さらに、制御ケーブル１５のオスコネクタ１５ａをアンテナモデム２の出力ＡＩＳＧコネクタ３６に接続し、その制御ケーブル１５のメスコネクタ１５ｂをＡＩＳＧデバイス１７の入力コネクタ１７ａに接続することで、アンテナモデム２とＡＩＳＧデバイス１７とが制御ケーブル１５を介して接続される。また、アンテナモデム２の出力側ＲＦコネクタ３３には、アンテナ１０に延びる給電線１２が接続され、これにより、アンテナモデム２とアンテナ１０とが給電線１２を介して接続される。
【００４１】
さらにまた、給電線１２の一端をＢＳモデム１３の出力側ＲＦコネクタ２６に接続し、その給電線１２の他端をアンテナモデム２の入力側ＲＦコネクタ３１に接続することで、ＢＳモデム１３とアンテナモデム２とが給電線１２を介して接続される。
【００４２】
次に、アンテナモデム２について説明する。
【００４３】
図１（ｂ）に示すように、アンテナモデム２は、ＢＳモデム１３から入力側ＲＦコネクタ３１を介して入力された給電信号から変調信号と電源信号とを分離する（つまり給電信号からＡＩＳＧ信号を分離する）と共に、分離後の給電信号を、出力側ＲＦコネクタ３３からアンテナ１０側の給電線１２に出力するバイアスＴ回路３２と、バイアスＴ回路３２で分離された変調信号と電源信号を、さらに個別に分離する（つまりＡＩＳＧ信号を変調信号と電源信号とに分離する）分離回路３４と、分離回路３４にて分離した変調信号を復調して制御信号に戻し、その制御信号を出力ＡＩＳＧコネクタ３６からＡＩＳＧデバイス１７に出力するモデム（モデム回路）３５と、を備えている。
【００４４】
分離回路３４の変調信号の出力は、内部配線によりモデム３５の変調信号の入出力部（方向性結合器）と電気的に接続され、モデム３５の制御信号の入出力部（ＲＳ４８５インターフェイス）は、内部配線により出力ＡＩＳＧコネクタ３６の３，５番（ＲＳ４８５Ａ，ＲＳ４８５Ｂ）のピン端子に電気的に接続され、復調した制御信号を出力ＡＩＳＧコネクタ３６から出力するようになっている。なお、モデム３５は、図１１で説明したものと同じものである。
【００４５】
さて、本実施の形態に係るアンテナモデム２は、正電源と負電源のいずれが入力された場合であっても所定の電圧の電源信号を生成可能な正負両電源入力対応の第１ＤＣ／ＤＣコンバータ３をさらに備え、第１ＤＣ／ＤＣコンバータ３により、ＢＳモデム１３から入力され給電信号から分離した電源信号（制御装置１６からＢＳモデム１３を介して供給された未知の電圧の電源信号）から、ＡＩＳＧ規格にて規定される所定の電圧の電源信号（ここでは１０〜３０Ｖ電源）を生成して、ＡＩＳＧデバイス１７に出力するように構成されている。
【００４６】
より具体的には、第１ＤＣ／ＤＣコンバータ３は、分離回路３４にて分離した電源信号から、ＡＩＳＧ規格にて規定される所定の電圧の電源信号（ここでは１０〜３０Ｖ電源）を生成して、出力ＡＩＳＧコネクタ３６からＡＩＳＧデバイス１７に出力するように構成されている。第１ＤＣ／ＤＣコンバータ３としては、正負両電源入力対応であり、かつ入出力絶縁型のものを用いる。
【００４７】
第１ＤＣ／ＤＣコンバータ３の一方の入力端子（正負両電源入力対応であるため、入力端子に極性はない）は、内部配線により分離回路３４の電源信号の出力と電気的に接続され、他方の入力端子は、図示していないが、出力ＡＩＳＧコネクタ３６の７番（ＤＣ  ｒｅｔｕｒｎ）のピン端子、すなわちＤＣリターンラインと電気的に接続される。また、第１ＤＣ／ＤＣコンバータ３の出力端子の正極は、内部配線により出力ＡＩＳＧコネクタ３６の６番（１０〜３０Ｖ  ＤＣ）のピン端子と電気的に接続され、出力端子の負極は、図示していないが、出力ＡＩＳＧコネクタ３６の７番（ＤＣ  ｒｅｔｕｒｎ）のピン端子と電気的に接続される。さらに、第１ＤＣ／ＤＣコンバータ３の出力端子の正極は、モデム３５の電源回路に電気的に接続され、第１ＤＣ／ＤＣコンバータ３が生成した電源をモデム３５に供給するように構成されている。
【００４８】
なお、ここでは、第１ＤＣ／ＤＣコンバータ３として入出力絶縁型のものを用いているが、他方の入力端子と出力端子の負極とは共にＤＣリターンラインに電気的に接続されるので、これら両端子が内部で電気的に接続されているものを用いることも可能である。この場合、他方の入力端子と出力端子の負極のいずれか一方を、ＤＣリターンラインに電気的に接続するように構成すればよい。
【００４９】
本実施の形態では、制御装置１６が給電する電源電圧が未知であるため、分離回路３４で分離した電源信号を外部へ出力せず、第１ＤＣ／ＤＣコンバータ３にて生成した電源信号（１０〜３０Ｖ電源）のみを、ＡＩＳＧデバイス１７に出力するようにアンテナモデム２を構成している。なお、第１ＤＣ／ＤＣコンバータ３にて生成する電源信号は１０〜３０Ｖ電源に限らず、ＡＩＳＧデバイス１７が使用する電源に応じて、＋１２Ｖ電源や−４８Ｖ電源としてもよい。
【００５０】
本実施の形態では、第１ＤＣ／ＤＣコンバータ３として正負両電源入力対応のものを用いたが、図３に示すように、正電源あるいは負電源のいずれか一方のみに対応した片電源入力対応のＤＣ／ＤＣコンバータ３７を用い、その前段に、片電源入力対応のＤＣ／ＤＣコンバータ３７が対応しない極性の電源信号が入力されたときに、入力された電源信号の極性を反転して出力する入力切替回路３８を設けることで、正負両電源入力対応としてもよい。
【００５１】
なお、片電源入力対応のＤＣ／ＤＣコンバータ３７に入力される電圧は、入力切替回路３８で整流されて１０〜４８Ｖ程度になるので、ＤＣ／ＤＣコンバータ３７としては、１０〜４８Ｖ程度の入力電圧の範囲に対応できるものを用いればよい。
【００５２】
図３では、入力切替回路３８を４つのダイオード３９ａ〜３９ｄからなるダイオードブリッジで構成した場合を示しているが、入力切替回路３８の構成はこれに限定されるものではない。
【００５３】
図３の例では、正電源（１０〜３０Ｖ電源あるいは＋１２Ｖ電源）が入力された場合には、ダイオード３９ａ，３９ｄが順方向バイアス、ダイオード３９ｂ，３９ｃが逆方向バイアスされるので、分離回路３４の電源信号の出力から延びる電源ラインがＤＣ／ＤＣコンバータ３７の入力端子の正極（Ｖｉｎ（＋））に、ＤＣリターンラインがＤＣ／ＤＣコンバータ３７の入力端子の負極（Ｖｉｎ（−））に電気的に接続されることになる。また、負電源（−４８Ｖ電源）が入力された場合には、ダイオード３９ａ，３９ｄが逆方向バイアス、ダイオード３９ｂ，３９ｃが順方向バイアスされるので、電源信号の極性は反転され、電源ラインがＤＣ／ＤＣコンバータ３７の入力端子の負極（Ｖｉｎ（−））に、ＤＣリターンラインがＤＣ／ＤＣコンバータ３７の入力端子の正極（Ｖｉｎ（＋））に電気的に接続されることになる。
【００５４】
本実施の形態では、アンテナモデム２に１つの第１ＤＣ／ＤＣコンバータ３を備え、１種類の電源（ここでは１０〜３０Ｖ電源）のみを出力する場合を説明したが、例えば、デイジーチェーン接続により＋１２Ｖ電源を使用するＡＩＳＧデバイス１７をさらに使用する可能性がある場合などは、図４（ａ）に示すように、第１ＤＣ／ＤＣコンバータ３が生成した電源信号（ここでは１０〜３０Ｖ電源）から、ＡＩＳＧ規格にて規定される他の電圧の電源信号（ここでは＋１２Ｖ電源）を生成する第２ＤＣ／ＤＣコンバータ４をさらに備え、第１ＤＣ／ＤＣコンバータ３が生成した電源信号（１０〜３０Ｖ電源）と、第２ＤＣ／ＤＣコンバータ４が生成した電源信号（＋１２Ｖ電源）の両者を、ＡＩＳＧデバイス１７に出力するように構成してもよい。
【００５５】
図４（ｂ）に示すように、さらに−４８Ｖ電源を生成する第２ＤＣ／ＤＣコンバータ４を備えれば、ＡＩＳＧ規格にて規定する３種類全ての電源をＡＩＳＧデバイス１７に出力することが可能になる。
【００５６】
また、図５（ａ）に示すように、第１ＤＣ／ＤＣコンバータ３を複数（ここでは２つ）備え、複数の第１ＤＣ／ＤＣコンバータ３にて、ＢＳモデム１３から入力され給電信号から分離した未知の電源信号から、ＡＩＳＧ規格にて規定される電圧で、かつ異なる電圧の電源信号（ここでは１０〜３０Ｖ電源と＋１２Ｖ電源）をそれぞれ生成して、ＡＩＳＧデバイス１７に出力するように構成することも可能である。
【００５７】
このとき、第１ＤＣ／ＤＣコンバータ３として、図３で説明したような片電源入力対応のＤＣ／ＤＣコンバータ３７の前段に入力切替回路３８を設けたものを用いる場合は、図５（ｂ）に示すように、入力切替回路３８を共通として、入力切替回路３８の後段に、２つの片電源入力対応のＤＣ／ＤＣコンバータ３７を並列接続するように構成すればよい。
【００５８】
図５（ａ）のアンテナモデム２に、さらに−４８Ｖ電源を生成する第１ＤＣ／ＤＣコンバータ３を備えれば、図４（ｂ）に示したアンテナモデム２と同様に、ＡＩＳＧ規格にて規定する３種類全ての電源をＡＩＳＧデバイス１７に出力することが可能になる。また、図５（ａ）のアンテナモデム２において、いずれかの第１ＤＣ／ＤＣコンバータ３の後段に、当該第１ＤＣ／ＤＣコンバータ３が生成した電源信号から−４８Ｖ電源を生成する第２ＤＣ／ＤＣコンバータ４をさらに備えても、３種類全ての電源をＡＩＳＧデバイス１７に出力することが可能になる。
【００５９】
さらには、図６（ａ）に示すように、ＢＳモデム１３から入力され給電信号から分離した電源信号の電圧が、第１ＤＣ／ＤＣコンバータ３が生成する電圧と略等しいとき、当該生成する電圧が等しい第１ＤＣ／ＤＣコンバータ３をバイパスして、ＢＳモデム１３から入力され給電信号から分離した電源信号を直接ＡＩＳＧデバイス１７に出力する出力切替回路５を備えるようにしてもよい。
【００６０】
図６（ａ），（ｂ）に示すように、出力切替回路５は、分離回路３４の電源信号の出力が電気的に接続される第１入力端子５２と、第１ＤＣ／ＤＣコンバータ３の出力端子（出力端子の正極）が電気的に接続される第２入力端子５３と、出力ＡＩＳＧコネクタ３６（６番のピン端子）と電気的に接続される出力端子５４と、第１入力端子５２と出力端子５４とを電気的に接続するか、あるいは第２入力端子５３と出力端子５４とを電気的に接続するかを切り替える継電器などの出力切替スイッチ５５と、第１入力端子５２から入力された電圧の値に応じて出力切替スイッチ５５を制御する入力電圧検知回路５６と、を備えている。
【００６１】
入力電圧検知回路５６は、第２入力端子５３から供給される電源（第１ＤＣ／ＤＣコンバータ３が生成する電源）により動作するように構成され、第１入力端子５２から入力された電圧の値が、予め設定した所定の範囲内（第１ＤＣ／ＤＣコンバータ３が生成する電圧の近傍の値）であれば、第１入力端子５２と出力端子５４とを電気的に接続するように出力切替スイッチ５５を制御するように構成される。入力された電圧の値が所定の範囲内であるか否かの判定は、ウインドコンパレータにより行うようにすればよい。
【００６２】
出力切替回路５を備えることで、制御装置１６からＢＳモデム１３を介して入力された電源電圧が、第１ＤＣ／ＤＣコンバータ３で生成する電圧と略等しいときには、第１ＤＣ／ＤＣコンバータ３をバイパスして入力された電源を直接出力することが可能になり、第１ＤＣ／ＤＣコンバータ３での無駄な電力損失を抑制することが可能になる。なお、図５（ａ）のように第１ＤＣ／ＤＣコンバータ３を複数備える場合には、各第１ＤＣ／ＤＣコンバータ３ごとに出力切替回路５を備えるとよい。
【００６３】
さらに、図７に示すように、出力ＡＩＳＧコネクタ３６の近傍にサージ保護回路６を備え、雷サージなどのサージ電圧から内部回路（第１ＤＣ／ＤＣコンバータ３やモデム３５など）を保護するように構成してもよい。
【００６４】
本実施の形態の作用を説明する。
【００６５】
本実施の形態に係るアンテナ制御システム１では、アンテナモデム２に、正負両電源入力対応の第１ＤＣ／ＤＣコンバータ３を備え、第１ＤＣ／ＤＣコンバータ３により、ＢＳモデム１３から入力され給電信号から分離した電源信号から、ＡＩＳＧ規格にて規定される所定の電圧の電源信号を生成して、ＡＩＳＧデバイス１７に出力するように構成している。
【００６６】
従来、コアキシャルインターフェイス方式のアンテナ制御システムでは、１種類の電源しか伝送することができないため、コアキシャルインターフェイス方式で伝送する電源電圧、すなわち制御装置１６が供給する電源電圧が未知である場合には、どのような電源を使用できるのか、つまりどのようなＡＩＳＧデバイス１７を使用できるかを判断することができなかったが、本発明によれば、アンテナモデム２内に正負両電源入力対応のＤＣ／ＤＣコンバータ３を設けることにより、コアキシャルインターフェイス方式で伝送する電源電圧にかかわらず、アンテナモデム２にて所定の電圧の電源を生成することが可能となり、アンテナモデム２の下流側（制御装置１６と反対側）において、常に所定の電圧の電源を使用することが可能となる。
【００６７】
つまり、本発明によれば、コアキシャルインターフェイス方式により給電される電源電圧にかかわらず、任意の電源電圧を使用するＡＩＳＧデバイス１７を接続して使用することが可能となる。
【００６８】
本発明は上記実施の形態に限定されるものではなく、本発明の趣旨を逸脱しない範囲で種々の変更を加え得ることは勿論である。
【符号の説明】
【００６９】
１  アンテナ制御システム
２  アンテナモデム
３  第１ＤＣ／ＤＣコンバータ
４  第２ＤＣ／ＤＣコンバータ
５  出力切替回路
１０  アンテナ
１１  無線機
１２  給電線
１３  ＢＳモデム
１５  制御ケーブル
１６  制御装置
１７  ＡＩＳＧデバイス
３８  入力切替回路
【図３】
2013026895.tif 000004
【図１】
2013026895.tif 000005
【図２】
2013026895.tif 000006
【図４】
2013026895.tif 000007
【図５】
2013026895.tif 000008
【図６】
2013026895.tif 000009
【図７】
2013026895.tif 000010
【図８】
2013026895.tif 000011
【図９】
2013026895.tif 000012
【図１０】
2013026895.tif 000013
【図１１】
2013026895.tif 000014